(57)【要約】【課題】上記押し圧部を下方向へ押すと、ディスクを固定しなくなり、それにともなって、この突起部がディスクを持ち上げるため、使用者がディスクを取り出しやすくなるディスクケース構造を提供する。【解決手段】ディスクケース構造の改良とは、ケースを薄くし、ケースの内には底座と補佐凸部構造があり、上記底座とつながっているピボット、上記ピボットとつながっている一方の傾斜アーム、上記傾斜アームの上端とつながっている押し圧部及び上記ピボットとつながっているもう一方の凸部を含む。【選択図】図３
0003121122.tif 000002
【実用新案登録請求の範囲】
【請求項１】
底座と上記底座にありディスクを収納するための突起部を有するケースと、
上記底座とつながっているピボット、上記ピボットとつながっている一方の傾斜アーム、上記傾斜アームの上端とつながっている押し圧部及び上記ピボットとつながっているもう一方の凸部を含む補佐凸部構造を具備することを特徴とするディスクケース構造。
【請求項２】
上記ケース厚みが６.０ないし８.０ｍｍであることを特徴とする請求項1記載のディスクケース構造。
【請求項３】
上記底座が上記凸部に対応する欠切を有することを特徴とする請求項1記載のディスクケース構造。
【請求項４】
上記突起部が上記底座との一体型であることを特徴とする請求項１記載のディスクケース構造。
【請求項５】
上記突起部が上記補佐凸部構造両側を円弧状に囲んで配列する一対のスプリングを有し、上記一対のスプリングの先端の外側にそれぞれ突起部があることを特徴とする請求項1記載のディスクケース構造。
【請求項６】
上記凸部の一端に近い、上記補佐凸部構造の押し圧部が係合部を有し、上記係合部の両側面と上記押し圧部の対称中心線に角度をなすことを特徴とする請求項1記載のディスクケース構造。
【考案の詳細な説明】
【技術分野】
【０００１】
本考案はディスクケースの構造に関するもので、特に補佐凸部構造のディスクケースの構造に係る。
【背景技術】
【０００２】
さて、ディスクケースとはディスクを収納する装置のことであるが、周知のディスクケースの構造は、図１，図２、図２Ａが示すとおり、ケース１０ａを有し、底座１１ａの中央に位置する上記ケース１０ａが突起部１２ａとフック部材２０ａを有し、上記突起部１２ａはスプリング１２１ａを有する。上記フック部材２０ａは底座１１ａとつながっている押し圧部２１ａを有し、ディスクを置くと、ディスクの中央の穴のふちは上記スプリング１２１ａの凸部１２２ａ（図２Ａのとおり）及び上記押し圧部２１ａの係合部２１１ａに接するので、上記スプリング１２１ａと上記押し圧部２１ａを変形させ、結果としてディスクの中央の穴のふちに挟む力を加えることで、ディスクをディスクケース内に固定する。またディスクをディスクケースから取り出す際、使用者は上記押し圧部２１ａを押し、ディスクの中央の穴のふちを挟む力を緩めることで、ディスクを取り出す。
【０００３】
しかし、周知のディスクケースは上記押し圧部２１ａを押してディスクを取り出す際、上記押し圧部２１ａの係合部２１１ａがディスクの中央の穴のふちにひっかかりやすく、ディスクを取り出しにくい。
【０００４】
このような理由で、本考案人は上記の問題を改善するため、研究に専念し、学理の運用に照らし合わせ、合理的に設計し、上記の問題を有効的に改善した。
【考案の開示】
【考案が解決しようとする課題】
【０００５】
本考案の主な目的は、ディスクケースの構造の改良であり、ディスクケース内に補佐凸部構造を設置し、上記補佐凸部構造の押し圧部を下方向に押さえることで、ディスクの固定を外し、それにともなって、補佐凸部構造の凸部がディスクを上方向に持ち上げる。また、ディスクの中央の穴のふちにひっかかることなく、使用者がディスクを取り出しやすくなる。
【課題を解決するための手段】
【０００６】
上記の目的を達成するため、本考案は下記を含む、ディスクケースの構造の改良を行った。ケース、ケースは底座とディスクを置くための突起部を有する、補佐凸部構造、補佐凸部構造は底座とつながっているピボット、ピボットとつながっている一方の傾斜アーム、傾斜アームの上部とつながっている押し圧部、ピボットとつながっているもう一方の凸部を含む。
【考案を実施するための最良の形態】
【０００７】
本考案の特徴及び技術内容を更にご理解頂くために、本考案の詳細な説明及び図に関する以下をご参照頂きたい。但し、図は参考と説明のために用いるもので、本考案に制限を加えることはない。
【実施例】
【０００８】
図３，図３Ａ、図４、図４Ａを参考すると、本考案はディスクケースの構造の改良についてのものであり、ケース１０，補佐凸部構造２０を含む。上記ケース１０はプラスチックの材料で製造され、底座１１と底座１１の中央に位置する突起部１２を含み、上記突起部１２は上記底座１１の中に突きだしている。
【０００９】
上記ケース１０の厚みは６．０〜８．０ｍｍであり、ディスクケース全体の厚みを減らし、収納空間を有効利用することができる。
【００１０】
上記突起部１２は上記底座１１と一体型に製造され、ディスクを置く際に、ディスクのつるつるの表面を傷つけることがない。上記突起部１２の上には一対のスプリング１２１を有し、上記補佐凸部構造２０の両側に円弧状に囲んで配列し、上記スプリング１２１の先端の外側近くにそれぞれ凸部１２２を有し、ディスクを入れる際にしっかりと固定する。
【００１１】
上記補佐凸部構造２０はピボット２１、傾斜アーム２２，押し圧部２３，凸部２４を含む。上記ピボット２１は上記底座１１とつながっているが、その一方は上記傾斜アーム２２とつながっており、もう一方は凸部２４とつながっている。上記傾斜アーム２２の上方は上記押し圧部２３とつながっている。上記凸部２４は上向きの傾斜の板体で、上記底座１１上には上記凸部２４に対応する欠切１１１があり、上記凸部２４が下向きに作動するための空間を作る。上記凸部２４の一端の近くにある上記押し圧部２３は係合部２３１を有し、上記係合部２３１の両側面と上記押し圧部２３の対象中心線は角度αを作る。上記角度αは２０±１０度である。
【００１２】
ディスクを上記突起部２０に入れる際、ディスクの中央の穴のふちが上記スプリング１２１の突起部１２２と上記押し圧部２３の係合部２３１に触れ、上記スプリング１２１と上記押し圧部２３を変形させることによって、ディスクの中央の穴のふちに挟む力を加え、更にディスクをディスクケース内に固定させる。ディスクを取り出す際には、使用者は上記押し圧部２３を押し、変形させ、ディスクの中央の穴のふちの挟む力を緩め、ディスクを上記押し圧部２３の係合部２３１から外す。それによって、上記係合部２３１の両側面と上記押し圧部２３の対象中心線は２０±１０度の角度αを有し、二つの斜面を形成し、ディスクを斜面に沿って外しやすく、押し圧部２３の下向きの動きは同時にピボット２１を通して上記凸部２４に対応してディスクを上向きに持ち上げ、使用者がディスクを取り出しやすくする。
【００１３】
本考案は補佐凸部構造２０を加えることを利用し、また押し圧部２３の係合部２３１の外形を改めることで、ディスクを取り出しやすくし、使用上の利便性を高め、従来の技術の問題を解決することができる。
【００１４】
上記で述べたことは本考案のよりよい実例の一部に過ぎず、本考案の特許範囲を制限するものではなく、ゆえに本考案の説明書及び図の内容を利用した同様の構造の応用についても、同様に本考案の範囲内に全て含まれるものである。
【図面の簡単な説明】
【００１５】
【図１】従来のディスクケースの構造の立体図である。
【図２】従来のディスクケースの構造の係合部の構造の拡大詳細図である。
【図２Ａ】従来のディスクケースの構造の係合部の構造の断面図である。
【図３】本考案のディスクケースの構造の改良の立体図である。
【図３Ａ】本考案のディスクケースの構造の改良の凸部の構造の拡大詳細図である。
【図４】本考案のディスクケースの構造の改良の凸部の構造の平面図である。
【図４Ａ】本考案のディスクケースの構造の改良の凸部の構造の断面図である。
【符号の説明】
【００１６】
10a     ケース
11a     底座
12a     突起部
121a    スプリング
122a    凸部
20a     フック部材
21a     押し圧部
211a    係合部
10      ケース
11      底座
111     欠切
12      突起部
121     スプリング
122     凸部
20      補佐凸部構造
21      ピボット
22      傾斜アーム
23      押し圧部
231     係合部
24      凸部
【図１】
0003121122.tif 000003
【図２】
0003121122.tif 000004
【図２Ａ】
0003121122.tif 000005
【図３】
0003121122.tif 000006
【図３Ａ】
0003121122.tif 000007
【図４】
0003121122.tif 000008
【図４Ａ】
0003121122.tif 000009